(57)【特許請求の範囲】
【請求項１】
外周部に形成された摘みタブを有し、容器本体の開口部に被冠して容器本体を密閉し、帯封ラベルが帯掛けされる蓋材において、
外周部に少なくとも２つ〜５つの摘みタブを設け、そのうちの２つの摘みタブの形成する角度が１３５°プラスマイナス１０°又は２２５°プラスマイナス１０°の範囲にある摘みタブを有するように形成し、容器本体に被冠した蓋材上から帯封ラベルを帯掛けし該摘みタブの一つが帯封ラベルによって隠れた場合でも、他の個所にも摘みタブが位置するように前記摘みタブを配したことを特徴とする蓋材。
【請求項２】
外周部に形成された摘みタブを有し、容器本体の開口部に被冠して容器本体を密閉し、帯封ラベルが帯掛けされる蓋材において、
外周部に少なくとも２つ〜５つの摘みタブを設け、そのうちの２つの摘みタブの形成する角度が１３５°プラスマイナス１０°又は２２５°プラスマイナス１０°の範囲にある摘みタブを有するように形成し、容器本体に被冠した蓋材上から帯封ラベルを帯掛けした場合に、少なくとも摘みタブの一つが帯封ラベルに対し鋭角な位置を形成して現れ出るように摘みタブを配したことを特徴とする蓋材。
【請求項３】
外周部に形成された摘みタブを有し、容器本体の開口部に被冠して容器本体を密閉し、帯封ラベルが帯掛けされる蓋材において、
外周部に摘みタブを２つ〜５つの摘みタブを設け、そのうちの２つの摘みタブの形成する角度が１３５°プラスマイナス１０°又は２２５°プラスマイナス１０°の範囲にある摘みタブを有するように形成し、容器本体に被冠した蓋材上から帯封ラベルを帯掛けした場合に、少なくとも一つの摘みタブが、帯掛けした帯封ラベルの中心Ｃと帯封ラベルの長手方向のセンターラインＣＬとを結ぶ線分と、帯掛けした帯封ラベルの中心Ｃと摘みタブの中心とを結ぶ線分とで形成される角度が鋭角をとる位置に形成されていることを特徴とする蓋材。
【請求項４】
容器の胴部の横断面形状が多角形状に形成されるとともに、容器本体の開口縁部に外周が円形のフランジ部が形成されたフランジ部の幅が均一でない容器本体に被冠して容器本体を密閉し、帯封ラベルが帯掛けされる蓋材において、
容器本体のフランジ部に被着した際にフランジ部の異なる位置に摘みタブが位置するように円外周部に摘みタブを２つ〜５つの摘みタブを設け、そのうちの２つの摘みタブの形成する角度が１３５°プラスマイナス１０°又は２２５°プラスマイナス１０°の範囲にある摘みタブを有するように形成し、該摘みタブの一つがフランジ部の幅が最大の箇所に位置する場合でも、他の箇所にも摘みタブが位置するように前記摘みタブを配したことを特徴とする蓋材。
【請求項５】
容器の胴部の横断面形状が多角形状に形成されるとともに、容器本体の開口縁部に外周が円形のフランジ部が形成されたフランジ部の幅が均一でない容器本体に被冠して容器本体を密閉し、帯封ラベルが帯掛けされる蓋材において、
容器本体のフランジ部に被着した際にフランジ部の異なる位置に摘みタブが位置するように円外周部に摘みタブを２つ〜５つの摘みタブを設け、そのうちの２つの摘みタブの形成する角度が１３５°プラスマイナス１０°又は２２５°プラスマイナス１０°の範囲にある摘みタブを有するように形成し、該摘みタブの一つがフランジ部の幅が最大の箇所に位置する場合でも、その他の少なくとも一つの摘みタブがフランジ部の幅が最小の箇所に位置するように前記摘みタブを配したことを特徴とする蓋材。
【請求項６】
容器本体と、
外周部に形成された摘みタブを有し、前記容器本体の開口部に被冠して容器本体を密閉する蓋材と、
該蓋材上に配設する帯封ラベルとを具備し、
前記蓋材が、
外周部に２つ〜５つの摘みタブを設け、そのうちの２つの摘みタブの形成する角度が１３５°プラスマイナス１０°又は２２５°プラスマイナス１０°の範囲にある摘みタブを有するように形成し、前記容器本体に被冠した前記蓋材上から前記帯封ラベルを帯掛けした場合に、少なくとも摘みタブの一つが前記帯封ラベルに対し鋭角な位置を形成して現れ出るように摘みタブを配したことを特徴とする、蓋材を被冠した帯付き密閉容器。
【請求項７】
胴部の横断面形状が多角形状に形成されるとともに、開口縁部に外周が円形のフランジ部が形成された、フランジ部の幅が均一でない容器本体と、
該容器本体の開口部に被冠して容器本体を密閉する蓋材とを具備し、
該蓋材が、
前記容器本体のフランジ部に被着した際にフランジ部の異なる位置に摘みタブが位置するように円外周部に摘みタブを２つ〜５つの摘みタブを設け、そのうちの２つの摘みタブの形成する角度が１３５°プラスマイナス１０°又は２２５°プラスマイナス１０°の範囲にある摘みタブを有するように形成し、該摘みタブの一つがフランジ部の幅が最大の箇所に位置する場合でも、他の箇所にも摘みタブが位置するように前記摘みタブを配したことを特徴とする、蓋材を被冠した多角型の密閉容器。
【発明の詳細な説明】
【０００１】
【発明の属する技術分野】
本発明は、蓋材、および蓋材を被冠した帯付き密閉容器、並びに蓋材を被冠した多角型の密閉容器に関するものである。
【０００２】
【従来の技術】
従来、容器入り食品、例えば、カップ入りデザート等において、
（イ）図１４及び図１５に示すように、容器２１０のフランジ部２１１に被着する蓋材２    ２０を封緘するために、あるいは、手作り感をアップさせて商品価値を高めるために    蓋材２２０の上から帯封ラベル２３０を帯掛けした容器入り商品２０１や、
（ロ）図１７に示すように、容器３１０のフランジ部３１１の外周形状が丸で容器３１０    の本体胴部の横断面形状が角形（図１７では四角）のカップ（以下、本明細書におい    て、「丸角カップ」という）を形成して蓋材３２０を被冠し、カップの形状を工夫す    ることにより商品価値を高めた丸角カップを使用した容器入り商品３０１、
が市場で売られている。
【０００３】
【発明が解決しようとする課題】
上記（イ）（ロ）の商品の容器にあっては、摘みタブ２２１、３２１は、通例、蓋材の円外周部に１個当て設けられているだけであるため、
（１）上記（イ）の商品の容器にあっては、帯封ラベル２３０が摘みタブに掛かると摘み    タブ２２１が折り込まれて隠れてしまい指で摘む個所が無くなるため極めて開封しず    らい（図１５参照）；また、摘みタブ２２１に対し帯封ラベル２３０が垂直（９０°    ）に掛けられると開封時の力（テンション）が帯封ラベルの左右両側に分散し開封し    づらくなる（図１６参照）；
（２）上記（ロ）の商品の容器にあっては、カップのフランジ部３１１の幅が均一（一様    ）でないため［図１７（Ｂ）において、最大幅＝Ｗ１，最小幅＝Ｗ２；Ｗ１＞Ｗ２］    、フランジ部３１１の幅に深浅が生じ、特に、幅広部に摘みタブが位置すると（来る    と）［図１７（Ａ）（Ｂ）参照］、開封時には摘みタブ３２１とフランジ部３１１が    一緒に上方に持っていかれるため開封しずらくカップ内の商品をなかなか食せなかっ    たり、非力な幼児が無理に開封しようとすると容器内の食品をこぼしたり、衣服を汚    すおそれがある；
等の問題点を有していた。
そして、この問題点を解消するために、摘みタブの位置を基準にして、帯封ラベルの貼着位置、あるいは、丸角カップの方向（フランジ部に形成されるフランジ幅の深浅位置）を機械装置により規制する工程を設けことが検討されているが、この場合には、専用の機械装置が必要となるとともに、機械装置を設置するスペースも必要となり、更に、上記工程を必須とするため製造能力が制限されるという問題点が指摘されていた。
【０００４】
従って本発明の目的は、蓋材に形成した摘みタブの位置を規定して２つ〜５つの摘みタブを設け、そのうちの２つの摘みタブの形成する角度が１３５°プラスマイナス１０°又は２２５°プラスマイナス１０°の範囲にある摘みタブを有するように形成し、帯封ラベル、あるいは、丸角カップを使用した容器、例えば、食品用容器に被冠して、摘みタブと帯封ラベル、あるいは、丸角カップのフランジ部との位置関係に関係なく、容器を容易に開封できるようにした蓋材、および蓋材を被冠した帯付き密閉容器、並びに蓋材を被冠した多角型の密閉容器を提供することにある。
【０００５】
【課題を解決するための手段】
本願の請求項１に係る発明は、外周部に形成された摘みタブを有し、容器本体の開口部に被冠して容器本体を密閉し、帯封ラベルが帯掛けされる蓋材において、外周部に少なくとも２つ〜５つの摘みタブを設け、そのうちの２つの摘みタブの形成する角度が１３５°プラスマイナス１０°又は２２５°プラスマイナス１０°の範囲にある摘みタブを有するように形成し、容器本体に被冠した蓋材上から帯封ラベルを帯掛けし該摘みタブの一つが帯封ラベルによって隠れた場合でも、他の個所にも摘みタブが位置するように前記摘みタブを配したことを特徴とする蓋材である。
【０００６】
本願の請求項２に係る発明は、外周部に形成された摘みタブを有し、容器本体の開口部に被冠して容器本体を密閉し、帯封ラベルが帯掛けされる蓋材において、外周部に少なくとも２つ〜５つの摘みタブを設け、そのうちの２つの摘みタブの形成する角度が１３５°プラスマイナス１０°又は２２５°プラスマイナス１０°の範囲にある摘みタブを有するように形成し、容器本体に被冠した蓋材上から帯封ラベルを帯掛けした場合に、少なくとも摘みタブの一つが帯封ラベルに対し鋭角な位置を形成して現れ出るように摘みタブを配したことを特徴とする蓋材である。
【０００７】
本願の請求項３に係る発明は、外周部に形成された摘みタブを有し、容器本体の開口部に被冠して容器本体を密閉し、帯封ラベルが帯掛けされる蓋材において、外周部に摘みタブを２つ〜５つの摘みタブを設け、そのうちの２つの摘みタブの形成する角度が１３５°プラスマイナス１０°又は２２５°プラスマイナス１０°の範囲にある摘みタブを有するように形成し、容器本体に被冠した蓋材上から帯封ラベルを帯掛けした場合に、少なくとも一つの摘みタブが、帯掛けした帯封ラベルの中心Ｃと帯封ラベルの長手方向のセンターラインＣＬとを結ぶ線分と、帯掛けした帯封ラベルの中心Ｃと摘みタブの中心とを結ぶ線分とで形成される角度が鋭角をとる位置に形成されていることを特徴とする蓋材である。
【０００８】
本願の請求項４に係る発明は、容器の胴部の横断面形状が多角形状に形成されるとともに、容器本体の開口縁部に外周が円形のフランジ部が形成されたフランジ部の幅が均一でない容器本体に被冠して容器本体を密閉し、帯封ラベルが帯掛けされる蓋材において、容器本体のフランジ部に被着した際にフランジ部の異なる位置に摘みタブが位置するように円外周部に摘みタブを２つ〜５つの摘みタブを設け、そのうちの２つの摘みタブの形成する角度が１３５°プラスマイナス１０°又は２２５°プラスマイナス１０°の範囲にある摘みタブを有するように形成し、該摘みタブの一つがフランジ部の幅が最大の箇所に位置する場合でも、他の箇所にも摘みタブが位置するように前記摘みタブを配したことを特徴とする蓋材である。
【０００９】
本願の請求項５に係る発明は、容器の胴部の横断面形状が多角形状に形成されるとともに、容器本体の開口縁部に外周が円形のフランジ部が形成されたフランジ部の幅が均一でない容器本体に被冠して容器本体を密閉し、帯封ラベルが帯掛けされる蓋材において、容器本体のフランジ部に被着した際にフランジ部の異なる位置に摘みタブが位置するように円外周部に摘みタブを２つ〜５つの摘みタブを設け、そのうちの２つの摘みタブの形成する角度が１３５°プラスマイナス１０°又は２２５°プラスマイナス１０°の範囲にある摘みタブを有するように形成し、該摘みタブの一つがフランジ部の幅が最大の箇所に位置する場合でも、その他の少なくとも一つの摘みタブがフランジ部の幅が最小の箇所に位置するように前記摘みタブを配したことを特徴とする蓋材である。
【００１０】
本願の請求項６に係る発明は、容器本体と、外周部に形成された摘みタブを有し、前記容器本体の開口部に被冠して容器本体を密閉する蓋材と、該蓋材上に配設する帯封ラベルとを具備し、前記蓋材が、外周部に２つ〜５つの摘みタブを設け、そのうちの２つの摘みタブの形成する角度が１３５°プラスマイナス１０°又は２２５°プラスマイナス１０°の範囲にある摘みタブを有するように形成し、前記容器本体に被冠した前記蓋材上から前記帯封ラベルを帯掛けした場合に、少なくとも摘みタブの一つが前記帯封ラベルに対し鋭角な位置を形成して現れ出るように摘みタブを配したことを特徴とする、蓋材を被冠した帯付き密閉容器である。
【００１１】
本願の請求項７に係る発明は、胴部の横断面形状が多角形状に形成されるとともに、開口縁部に外周が円形のフランジ部が形成された、フランジ部の幅が均一でない容器本体と、
該容器本体の開口部に被冠して容器本体を密閉する蓋材とを具備し、該蓋材が、前記容器本体のフランジ部に被着した際にフランジ部の異なる位置に摘みタブが位置するように円外周部に摘みタブを２つ〜５つの摘みタブを設け、そのうちの２つの摘みタブの形成する角度が１３５°プラスマイナス１０°又は２２５°プラスマイナス１０°の範囲にある摘みタブを有するように形成し、該摘みタブの一つがフランジ部の幅が最大の箇所に位置する場合でも、他の箇所にも摘みタブが位置するように前記摘みタブを配したことを特徴とする、蓋材を被冠した多角型の密閉容器である。
【００１２】
【発明の実施の形態】
本発明の蓋材は、蓋材の外周部より突出して形成した摘みタブの位置を規定して２つ〜５つの摘みタブを設け、そのうちの２つの摘みタブの形成する角度が１３５°プラスマイナス１０°又は２２５°プラスマイナス１０°の範囲にある摘みタブを有するように形成し、帯封ラベル、あるいは、丸角カップを使用した容器、例えば、食品用容器に被冠して、摘みタブと帯封ラベル、あるいは、丸角カップのフランジ部との位置関係に関係なく、容器の密閉を容易に解除（開封）できるようにしている。
【００１３】
蓋材に設ける摘みタブは、蓋材の外周部に２つ〜５つの設けることが肝要であるが、消費者がどの摘みタブを摘めばよいか迷わないように２個乃至３個程度とすることが好ましい。
【００１４】
蓋材の素材としては、樹脂フイルム、アルミ箔片等を用いることができ、蓋材は容器本体のフランジ部においてヒートシールして被着され、容器本体の開口部に被冠される。
【００１５】
本発明の蜜閉容器は、外周部に形成された２つ〜５つの摘みタブを有し、容器の開口部に被冠して容器を密閉し、被着後に摘みタブのいずれかを用いて容器のフランジ部より蓋材を剥離する。
【００１６】
本発明の蜜閉容器の容器本体は、横断面形状が三角形以上の多角形状であればいずれのものを用いてもよい。
【００１７】
【実施例】
実施例の説明に先立ち、本発明の概念を図１〜図３、図６、図７、図９に示す参考例を用いて説明する。図１〜図３、図６、図７、図９では、外周部に少なくとも２つの摘みタブを設け、２つの摘みタブの形成する角度が４５°、９０°、３１５°の範囲に形成され、容器本体に被冠した蓋材上から帯封ラベルを帯掛けした場合に、摘みタブの一つが帯封ラベルによって隠れた場合でも、他の個所にも摘みタブが位置するように摘みタブを配している。
【００１８】
図１は、密閉容器の参考例を示し、密閉容器の構成要素を分離し、蓋材と、食品を充填した食品包装用の容器本体と、帯封ラベルとから構成されていることを示す斜視図、
図２は、密閉容器の参考例を示し、蓋材を用いて容器本体を密閉し、更に、帯封ラベルを蓋材上に貼付した食品包装用の密閉容器を示す斜視図、
図３は、蓋材の参考例を示し、摘みタブを２つ有し、２つの摘みタブが形成する角度θ１が４５°をとる蓋材と帯封ラベルとの５つの帯掛位置を示す平面略図、
図６は、蓋材の参考例を示し、摘みタブを２つ有し、２つの摘みタブが形成する角度θ７が３１５°をとる蓋材を示す平面略図、
図７は、蓋材の参考例を示し、摘みタブを３つ有し、３つの摘みタブ形成する角度θ１、θ２が４５°、９０°をとる蓋材を示す平面略図、
図９は、密閉容器の参考例を示し、（Ａ）はその平面図、（Ｂ）はその斜視図である。
【００１９】
（蓋材の参考例）
図１及び図２において、蓋材２０Ａは、外周部に形成された復数個の摘みタブを有し、容器本体１０の開口部１２に形成されるフランジ部１１に被着して容器本体１０を密閉し、被着後にはいずれかの摘みタブを用いて容器本体１０のフランジ部１１より剥離される。このため、前記摘みタブは、円外周部に２個当て設けられ、この２つの摘みタブ２１、２２が形成する角度θ１は４５°に形成されている（図２及び図３参照）。
【００２０】
しかして、前記容器本体１０に被冠した前記蓋材２０Ａ上から帯封ラベル３０を帯掛けした場合には、前記帯封ラベル３０位置が図３の（Ａ）（Ｂ）（Ｃ）（Ｄ）（Ｅ）のいずれの位置にあっても、帯掛けした帯封ラベル３０の中心Ｃ（蓋材２０の中心）と帯封ラベル３０の長手方向のセンターラインＣＬとを結ぶ線分と、帯掛けした帯封ラベル３０の中心Ｃと２つの摘みタブ２１、２２のうちの少なくとも一方の摘みタブの中心とを結ぶ線分とで形成される角度α１，α２，α３，α４，α５，α６は鋭角（９０°以下）をとり、摘みタブとしての機能を発揮するので、その摘みタブを用いて容器本体１０のフランジ部１１より蓋材２０Ａは簡単に剥離する（たとえ帯封ラベル３０が摘みタブ２１、２２の一方に掛かり折り込まれて隠れるようなことがあっても、摘みタブの一つが帯封ラベル３０に対し鋭角な位置を形成して現れ出る（露出する）ため、指で摘んで開封に寄与する摘みタブを少なくとも一個確保できる）。
【００２１】
図６に、摘みタブを２つ有し、２つの摘みタブ２１、２８が形成する角度θ７が３１５°をとる蓋材２０Ｄの参考例を示す。前記帯封ラベル３０位置が図６の（Ａ）（Ｂ）（Ｃ）（Ｄ）（Ｅ）のいずれの位置にあっても、帯掛けした帯封ラベル３０の中心Ｃ（蓋材２０の中心）と帯封ラベル３０の長手方向のセンターラインＣＬとを結ぶ線分と、帯掛けした帯封ラベル３０の中心Ｃと２つの摘みタブ２１、２８のうちの少なくとも一方の摘みタブの中心とを結ぶ線分とで形成される角度δ１，δ２，δ３，δ４，δ５，δ６が鋭角をとり摘みタブとしての機能を発揮するので、その摘みタブを用いて容器１０のフランジ部１１より蓋材２０は簡単に剥離される。
【００２２】
図７に、摘みタブを３つ有し、３つの摘みタブ２１、２２、２３が形成する角度θ１、θ２が４５°、９０°をとる蓋材２０Ｅの参考例を示す。前記帯封ラベル３０位置が図７の（Ａ）（Ｂ）（Ｃ）（Ｄ）（Ｅ）のいずれの位置にあっても、帯掛けした帯封ラベル３０の中心Ｃ（蓋材２０の中心）と帯封ラベル３０の長手方向のセンターラインＣＬとを結ぶ線分と、帯掛けした帯封ラベル３０の中心Ｃと３つの摘みタブ２１、２２。２３のうちの少なくとも一方の摘みタブの中心とを結ぶ線分とで形成される角度ε１，ε２，ε３，ε４，ε５，ε６、ε７，ε８，ε９が鋭角をとり摘みタブとしての機能を発揮するので、その摘みタブを用いて容器１０のフランジ部１１より蓋材２０は簡単に剥離される。
【００２３】
図９に、容器本体のフランジ部に被着した際にフランジ部の異なる位置に摘みタブが位置するように円外周部に摘みタブを複数個設け、摘みタブの一つがフランジ部の幅が最大の箇所に位置する場合でも、他の箇所にも摘みタブが位置するように摘みタブを配した参考例を示す。
【００２４】
図９では、容器１１０の胴部１１３の横断面形状が多角（四角）形状に形成され、容器１１０の開口部１１２に形成されるフランジ部１１１の外周が円形に形成され、フランジ部１１１の幅が均一でない［図９（Ｂ）において、最大幅＝Ｗ１，最小幅＝Ｗ２；Ｗ１＞Ｗ２］容器１１０に被着して容器１１０を密閉するのに好適な蓋材１２０Ａを示している。この参考例では、実施例１と同様に、円外周部に形成された摘みタブ１２１，１２２を有し、容器１１０の開口部１１２に形成されるフランジ部１１１に被着して容器１０を密閉し、被着後に摘みタブ１２１，１２２を用いて容器１１０のフランジ部１１１より剥離して使用する。
【００２５】
この蓋材１２０Ａは、容器本体１１０のフランジ部１１に被着した際にフランジ部１１の幅の異なる位置に摘みタブ１２１，１２２が位置するように円外周部に摘みタブを複数個設け、摘みタブの一つがフランジ部の幅が最大の箇所に位置する場合でも、他の箇所（例えば、丸角カップのコーナ）に摘みタブが位置するように形成されており、開封が容易である。
【００２６】
（密閉容器の参考例）
図１に示す密閉容器１は、蓋材を被冠した帯付き密閉容器として形成され、前記容器本体１０と、円外周部に形成された摘みタブを有し、前記容器本体１０の開口部１２に被冠して容器本体１０を密閉する蓋材２０Ａと、この蓋材上に配設する帯封ラベル３０とを具備している。
【００２７】
前記蓋材２０Ａは、上記のとおり、外周部に少なくとも２つの摘みタブ２１、２２を有し、前記容器本体１０に被冠した前記蓋材２０Ａ上から前記帯封ラベル３０を帯掛けした場合に、少なくとも摘みタブの一つが前記帯封ラベル３０に対し鋭角な位置を形成するように摘みタブが配されている（摘みタブ２１、２２の一つが帯封ラベル３０によって隠れた場合でも、他の摘みタブが帯封ラベル３０に対し鋭角な位置を形成して現れ出る）。
【００２８】
図９に示す密閉容器１０１は、蓋材を被冠した多角型の密閉容器として形成され、胴部の横断面形状が多角形状に形成されるとともに、開口縁部に外周が円形のフランジ部１１１が形成された、フランジ部１１１の幅が均一でない容器本体１１０と、この容器本体１１０の開口部１１２に被冠して容器本体１１０を密閉する蓋材１２０Ａとを具備している。
【００２９】
そして、前記該蓋材１２０Ａは、既述の通り、前記容器本体１１０のフランジ部１１１に被着した際にフランジ部１１１の異なる位置に摘みタブが位置するように円外周部に摘みタブを複数個設け、該摘みタブ１２１、１２２の一つがフランジ部の幅が最大の箇所に位置する場合でも、他の箇所にも摘みタブが位置するように前記摘みタブは配されている。
【００３０】
以下、本発明の実施例を図４、図５、図８、図１０乃至図１３を参照しながら説明する。
【００３１】
先ず図４に、摘みタブを２つ有し、２つの摘みタブ２１、２４が形成する角度θ３が１３５°をとる蓋材２０Ｂを示す。前記帯封ラベル３０位置が図４の（Ａ）（Ｂ）（Ｃ）（Ｄ）（Ｅ）のいずれの位置にあっても、帯掛けした帯封ラベル３０の中心Ｃ（蓋材２０の中心）と帯封ラベル３０の長手方向のセンターラインＣＬとを結ぶ線分と、帯掛けした帯封ラベル３０の中心Ｃと２つの摘みタブ２１、２４のうちの少なくとも一方の摘みタブの中心とを結ぶ線分とで形成される角度β１，β２，β３，β４，β５，β６が鋭角をとり摘みタブとしての機能を発揮するので、その摘みタブを用いて容器１０のフランジ部１１より蓋材２０は簡単に剥離される。
【００３２】
図５に、摘みタブを２つ有し、２つの摘みタブ２１、２６が形成する角度θ５が２２５°をとる蓋材２０Ｃを示す。前記帯封ラベル３０位置が図４の（Ａ）（Ｂ）（Ｃ）（Ｄ）（Ｅ）のいずれの位置にあっても、帯掛けした帯封ラベル３０の中心Ｃ（蓋材２０の中心）と帯封ラベル３０の長手方向のセンターラインＣＬとを結ぶ線分と、帯掛けした帯封ラベル３０の中心Ｃと２つの摘みタブ２１、２６のうちの少なくとも一方の摘みタブの中心とを結ぶ線分とで形成される角度γ１，γ２，γ３，γ４，γ５，γ６が鋭角をとり摘みタブとしての機能を発揮するので、その摘みタブを用いて容器１０のフランジ部１１より蓋材２０は簡単に剥離される。
【００３３】
図８に、摘みタブを３つ有し、５つの摘みタブ２１、２２、２３、２５、２７が形成する角度θ１、θ２、θ４、θ６が４５°、９０°、１８０°、２７０°をとる蓋材２０Ｆの実施例を示す。この場合、摘みタブ２２と２５が形成する角度は１３５°をとり、摘みタブ２２と２７が形成する角度は２２５°をとる。前記帯封ラベル３０位置が図８の（Ａ）（Ｂ）（Ｃ）（Ｄ）（Ｅ）のいずれの位置にあっても、帯掛けした帯封ラベル３０の中心Ｃ（蓋材２０の中心）と帯封ラベル３０の長手方向のセンターラインＣＬとを結ぶ線分と、帯掛けした帯封ラベル３０の中心Ｃと３つの摘みタブ２１、２２、２３、２５、２７のうちの少なくとも一方の摘みタブの中心とを結ぶ線分とで形成される角度λ１，λ２，λ３，λ４，λ５，λ６，λ７，λ８，λ９，λ１０，λ１１，λ１２，λ１３，λ１４，λ１５が鋭角をとり摘みタブとしての機能を発揮するので、その摘みタブを用いて容器１０のフランジ部１１より蓋材２０は簡単に剥離される。
【００３４】
以上のように、本発明では、少なくとも摘みタブの一つが帯封ラベルに隠れた場合、その他の少なくとも一つの摘みタブが帯封ラベルに対し４５°の位置にあるように、即ち「鋭角」が４５°になるように摘みタブを形成する（例えば図４（Ａ）及び（Ｄ）、図５（Ａ）及び（Ｂ）等参照）。このために、外周部に少なくとも２〜５つの摘みタブを設け、そのうちの２つの摘みタブの形成する角度が１３５°又は２２５°の範囲にある摘みタブを有するように形成することが肝要である。なお、この場合、摘みタブの幅を考慮すれば、実際には、前記１３５°、２２５°のプラスマイナス１０°の範囲に摘みタブを配置することができる。
【００３５】
図１０乃至図１３に、容器本体のフランジ部に被着した際にフランジ部の異なる位置に摘みタブが位置するように円外周部に摘みタブを複数個（２つ〜５つ）設け、摘みタブの一つがフランジ部の幅が最大の箇所に位置する場合でも、他の箇所にも摘みタブが位置するように摘みタブを配した例を示す。
【００３６】
図１０の（Ｉ）に、２つの摘みタブ１２１、１２４が形成する角度θ３が１３５°をとる蓋材１２０Ｂを、図１０の（ＩＩ）に、２つの摘みタブ２１、２６が形成する角度θ５が２２５°をとる蓋材１２０Ｃをそれぞれ示す［図１０の（ＩＩＩ）は、２つの摘みタブ２１、２８が形成する角度θ７が３１５°をとる蓋材１２０Ｄの参考例である」。
【００３７】
また、図１１の（Ｉ）に、３つの摘みタブ２１、２２、２４が形成する角度θ１、θ３が４５°、１３５°をとる蓋材１２０Ｅを、図１１の（ＩＩ）に、３つの摘みタブ２１、２２、２６が形成する角度θ１、θ５が４５°、２２５°をとる蓋材１２０Ｆをそれぞれ示す［図１１の（ＩＩＩ）は、３つの摘みタブ２１、２２、２８が形成する角度θ１、θ７が４５°、３１５°をとる蓋材１２０Ｇ参考例である］。
【００３８】
さらに、図１２の（Ｉ）に、４つの摘みタブ２１、２２、２４、２６が形成する角度θ１、θ３、θ５が４５°、１３５°、２２５°をとる蓋材１２０Ｈを、図１２の（ＩＩ）に、４つの摘みタブ２１、２２、２４、２８が形成する角度θ１、θ３、θ７が４５°、１３５、３１５°をとる蓋材１２０Ｊを示す。
【００３９】
そして、図１３に、５つの摘みタブ２１、２２、２４、２６、２８が形成する角度θ１、θ３、θ５、θ７が４５°、１３５°、２２５°、３１５°をとる蓋材１２０Ｋを示す。
【００４０】
以上のように、図１０乃至図１３では、少なくとも摘みタブの一つが、フランジ部の幅が最大の箇所に位置した場合に、その他の少なくとも一つの摘みタブが他の箇所、とりわけフランジ部の幅が最小になる箇所に位置するようにすることが好ましく、例えば、容器の本体胴部の横断面形状が正四角のカップである場合には、外周部に少なくとも２〜５つの摘みタブを設け、そのうちの２つの摘みタブの形成する角度が１３５°又は２２５°の範囲にある摘みタブを有するように形成することが肝要である（例えば図１０等参照）。なお、この場合、摘みタブの幅を考慮すれば、実際には、前記１３５°、２２５°のプラスマイナス１０°の範囲に摘みタブを配置することができる。
【００４１】
（密閉容器の実施例）
本発明に係る密閉容器１は、蓋材を被冠した帯付き密閉容器として形成され、前記容器本体１０と、円外周部に形成された摘みタブを有し、前記容器本体１０の開口部１２に被冠して容器本体１０を密閉する前記蓋材２０Ｂ、２０Ｃ、２０Ｆのいずれかと、この蓋材上に配設する帯封ラベル３０とを具備している。
【００４２】
前記蓋材２０Ｂ、２０Ｃ、２０Ｆは、上記のとおり、外周部に少なくとも２つの摘みタブを有し、前記容器本体１０に被冠した前記蓋材２０Ｂ、２０Ｃ、２０Ｆ上から前記帯封ラベル３０を帯掛けした場合に、少なくとも摘みタブの一つが前記帯封ラベル３０に対し鋭角な位置を形成するように摘みタブが配されている（摘みタブ２１、２２、２３，２４，２５，２６の一つが帯封ラベル３０によって隠れた場合でも、他の摘みタブが帯封ラベル３０に対し鋭角な位置を形成して現れ出る）。
【００４３】
さらに本発明に係る密閉容器１０１は、蓋材を被冠した多角型の密閉容器としても形成でき、胴部の横断面形状が多角形状に形成されるとともに、開口縁部に外周が円形のフランジ部１１１が形成された、フランジ部１１１の幅が均一でない容器本体１１０と、この容器本体１１０の開口部１１２に被冠して容器本体１１０を密閉する蓋材１２０Ａとを具備している。
【００４４】
そして、前記該蓋材１２０Ｂ、１２０Ｃ、１２０Ｅ、１２０Ｆ、１２０Ｈ、１２０Ｊ、１２０Ｋのいずれかを、既述の通り、前記容器本体１１０のフランジ部１１１に被着した際にフランジ部１１１の異なる位置に摘みタブが位置するように円外周部に摘みタブを複数個（２つ〜５つ）設け、該摘みタブの一つ、たとえば摘みタブ１２１がフランジ部の幅が最大の箇所に位置する場合でも、他の箇所にも摘みタブが位置するように前記摘みタブは配されている。
【００４５】
【発明の効果】
本発明は以上の如く構成してあるため、本発明によれば、蓋材に形成した摘みタブの位置を規定して２つ〜５つの摘みタブを設け、そのうちの２つの摘みタブの形成する角度が１３５°プラスマイナス１０°又は２２５°プラスマイナス１０°の範囲にある摘みタブを有するように形成し、帯封ラベル、あるいは、丸角カップを使用した容器、例えば、食品用容器に被冠して、摘みタブと帯封ラベル、あるいは、丸角カップのフランジ部との位置関係に関係なく、容器を容易に開封できるようにした蓋材、および蓋材を被冠した帯付き密閉容器、並びに蓋材を被冠した多角型の密閉容器を提供できる。
【図面の簡単な説明】
【図１】密閉容器の参考例を示し、密閉容器の構成要素を分離し、蓋材と、食品を充填した食品包装用の容器本体と、帯封ラベルとから構成されていることを示す斜視図である。
【図２】密閉容器の参考例を示し、蓋材を用いて容器本体を密閉し、更に、帯封ラベルを蓋材上に貼付した食品包装用の密閉容器を示す斜視図である。
【図３】蓋材の参考例を示し、摘みタブを２つ有し、２つの摘みタブが形成する角度θ１が４５°をとる蓋材と帯封ラベルとの５つの帯掛位置を示す平面略図である。
【図４】本発明に係る蓋材の実施例を示し、摘みタブを２つ有し、２つの摘みタブが形成する角度θ３が１３５°をとる蓋材を示す平面略図である。
【図５】本発明に係る蓋材の他の実施例を示し、摘みタブを２つ有し、２つの摘みタブが形成する角度θ５が２２５°をとる蓋材を示す平面略図である。
【図６】蓋材の参考例を示し、摘みタブを２つ有し、２つの摘みタブが形成する角度θ７が３１５°をとる蓋材を示す平面略図である。
【図７】蓋材の参考例を示し、摘みタブを３つ有し、３つの摘みタブ形成する角度θ１、θ２が４５°、９０°をとる蓋材を示す平面略図である。
【図８】本発明に係る蓋材の他の実施例を示し、摘みタブを３つ有し、５つの摘みタブが形成する角度θ１、θ２、θ４、θ６が４５°、９０°、１８０°、２７０°をとる（摘みタブ２２と２５が形成する角度は１３５°をとり、摘みタブ２２と２７が形成する角度は２２５°をとる）蓋材を示す平面略図である。
【図９】密閉容器の参考例を示し、（Ａ）はその平面図、（Ｂ）はその斜視図である。
【図１０】  図９に示す密閉容器に適用する蓋材の実施例又は参考例を示し、（Ｉ）は摘みタブを２つ有し、２つの摘みタブが形成する角度θ３が１３５°をとる蓋材の実施例を示す平面略図、（ＩＩ）は摘みタブを２つ有し、２つの摘みタブが形成する角度θ５が２２５°をとる蓋材の実施例を示す平面略図、（ＩＩＩ）は摘みタブを２つ有し、２つの摘みタブが形成する角度θ７が３１５°をとる蓋材の参考例を示す平面略図である。
【図１１】  図９に示す密閉容器に適用する蓋材の他の実施例、又は参考例を示し、（Ｉ）は摘みタブを３つ有し、３つの摘みタブが形成する角度θ１、θ３が４５°、１３５°をとる蓋材の実施例を示す平面略図、（ＩＩ）は摘みタブを３つ有し、３つの摘みタブが形成する角度θ１、θ５が４５°、２２５°をとる蓋材の実施例を示す平面略図、（ＩＩＩ）は摘みタブを３つ有し、３つの摘みタブが形成する角度θ１、θ７が４５°、３１５°をとる蓋材の参考例を示す平面略図である。
【図１２】  図９に示す密閉容器に適用する蓋材の他の実施例を示し、（Ｉ）は摘みタブを４つ有し、４つの摘みタブが形成する角度θ１、θ３、θ５が４５°、１３５°、２２５°をとる蓋材の実施例を示す平面略図、（ＩＩ）は摘みタブを４つ有し、４つの摘みタブが形成する角度θ１、θ３、θ７が４５°、１３５°、３１５°をとる蓋材の実施例を示す平面略図である。
【図１３】  図９に示す密閉容器に適用する蓋材の実施例を示し、摘みタブを５つ有し、５つの摘みタブが形成する角度θ１、θ３、θ５、θ７が°４５°、１３５°、２２５°、３１５°をとる蓋材を示す平面略図である。
【図１４】  従来の技術を示し、蓋材と、食品を充填した食品包装用容器と、帯封ラベルを分離した状態を示す斜視図である。
【図１５】  図１４に示す蓋材を用いて容器を密閉し、更に、帯封ラベルを蓋材上に貼付した食品包装容器の斜視図である。
【図１６】  従来の蓋材を示し、摘みタブと帯封ラベルとの帯掛位置を示す平面略図である。
【図１７】  従来の蓋材を、容器のフランジ部の外周形状が丸で容器の本体胴部の横断面形状が角形のカップに被着した食品包装容器を示し、（Ａ）はその平面図、（Ｂ）はその斜視図である。
【符号の説明】
１        密閉容器
１０      容器本体
１１      フランジ部
１２      開口部
２０Ａ    蓋材
２０Ｂ    蓋材
２０Ｃ    蓋材
２０Ｄ    蓋材
２０Ｅ    蓋材
２０Ｆ    蓋材
２１      摘みタブ
２２      摘みタブ
２３      摘みタブ
２４      摘みタブ
２５      摘みタブ
２６      摘みタブ
２７      摘みタブ
２８      摘みタブ
３０      帯封ラベル
１０１    密閉容器
１１０    容器本体
１１１    フランジ部
１１２    開口部
１２０Ａ  蓋材
１２０Ｂ  蓋材
１２０Ｃ  蓋材
１２０Ｄ  蓋材
１２０Ｅ  蓋材
１２０Ｆ  蓋材
１２０Ｇ  蓋材
１２０Ｈ  蓋材
１２０Ｊ  蓋材
１２０Ｋ  蓋材
１２１    摘みタブ
１２２    摘みタブ
１２４    摘みタブ
１２６    摘みタブ
１２８    摘みタブ
２０１    容器入り商品
２１０    容器
２１１    フランジ部
２２０    蓋材
２２１    摘みタブ
２３０    帯封ラベル
３０１    容器入り商品
３１０    容器
３１１    フランジ部
３２０    蓋材
３２１    摘みタブ
【図１】
0004482745.tif 000002
【図２】
0004482745.tif 000003
【図３】
0004482745.tif 000004
【図４】
0004482745.tif 000005
【図５】
0004482745.tif 000006
【図６】
0004482745.tif 000007
【図７】
0004482745.tif 000008
【図８】
0004482745.tif 000009
【図９】
0004482745.tif 000010
【図１０】
0004482745.tif 000011
【図１１】
0004482745.tif 000012
【図１２】
0004482745.tif 000013
【図１３】
0004482745.tif 000014
【図１４】
0004482745.tif 000015
【図１５】
0004482745.tif 000016
【図１６】
0004482745.tif 000017
【図１７】
0004482745.tif 000018